(57)【要約】【課題】  本考案は、プラスチックス製の接続玩具ブロックによる、一体形の吹いて和音のでるリング状玩具の形成。【解決手段】  本考案は中空のプラスチックスブロックに和音を構成する音名の吹きリードを組み込み，和音構成に合わせて決められた順番に接続することでその目的を達成する。リング状に形成するには、それぞれのブロックを扇状形とし，側面に途中で抜け落ちないスライド接続溝を設ける。初めに基準になるブロックがあり、次に接続して形作っていく為のブロックがあり、そして最後のブロックによって和音で構成されたリングを完成する。  それぞれの音名リードは吹き専用にして吹き口は含み易く扁平で，背面は安全性を考慮して縦型長方形で側面から見ると台形とする。各ブロックの表面には構成和音名と音名を記し、裏面には構成和音配列に合わせた接続順位をアルファベット文字等によって示し最後のブロックによりロックされ一体形の吹いて和音のでるリングを形成する。【選択図】  図１０
0003105573.tif 000002
【実用新案登録請求の範囲】
【請求項１】
プラスチックス製の扇状形ブロック内に和音の構成音となる、吹き専用リードを組み込み各々の側面に設けた接続溝により、接続しながら一体形の和音リングが形成できる特徴を有する玩具ブロック。
【考案の詳細な説明】
【技術分野】
【０００１】  本考案は、中空のプラスチックス製ブロックに音名の異なる吹き専用リードを組み込んだもので，接続して和音リングとするための玩具ブロックに関するものである。
【背景技術】
【０００２】  幼児むけの玩具には、組み立てたり、外したりの物理的なもの、リードを組み込んで音を出すもの等それぞれが単一的遊び玩具として供されている。
【考案の開示】
【考案が解決しようとする課題】
【０００３】  既成の音が出る吹きリード玩具や接続ブロック玩具等はそれぞれが単一的なものであり、幼児の玩具への興味を持続させるには乏しい。依ってリード玩具と接続組み立て玩具を同時に楽しめるものとする。
［課題を解決するための手段］【０００４】  本考案は中空のプラスチックスブロックに和音を構成する音名のリードを組み込み，それを接続して一体形和音リングを形成するものである。接続したブロックが抜け落ちたりせずに、一体形リング状にするためそれぞれを扇状形とし，側面にスライド接続溝を設ける。リードは吹き専用にして吹き口は含み易い扁平で，背面は安全性を考慮して縦型長方形とし側面から見て台形とする。
接続溝の形状は最初の基準にするブロックと次々に接続していくブロックと最後のロックするブロックの３種類になる。ブロックの表面には構成和音名と音名を記し、裏面には構成和音配列に合わせた接続順位をアルファベット文字等に依って示す。接続順に従って完結ブロックにいたりロックされ一体形和音リングを形成する。
【考案の効果】
【０００５】  上述の様に、本考案はあくまでも幼児を対象とするもので、リング状に接続したり又は分解したりする思考力、音名ブロックとしての和音構成の視覚、聴覚的習得、アルファベット等文字列の学習、又、吹き専用リードによる肺機能の増進等、幼児の発育過程に必要な事項に寄与するものと考える。
【考案を実施すための最良の形態】
【０００６】  音名リードの構成は和音によって異なるが、複雑な和音構成は避け、３ないし４和音で進行する幼児向きのメロディーを選択、その進行に合わせて音名配列を決定する。
尚、裏面の配列を示す文字はアルファベットの他、数字、五十音等も考えられるが、同時に吹ける限度を３音と考え個々のブロックの大きさ及び構成する数でリング形状が変化するため、何にウェイトをおいた組み合わせにするか、そのバランスが必要となる。
又それぞれ扇状形のリード組み込みブロックの吹き口は、扁平で幼児が含みやすく滑らかな素材とし、できれば抗菌性のプラスチックス製が望ましい。
【０００７】  以下、添付図に従って実施例を説明する。
図（１）は基準となるブロックで数量は１個、平面は扇状形で正面の吹き口は扁平、背面は縦型長方形とし側面のスライド接続溝は左右ともに凹形とする。内部は断面に見る通りリードを組み込み、吹き出しラインに沿ったテーパーとする。ブロック表面図の音名表示は（ミ）和音名は（Ｅｍ）、裏面図の接続配列文字はアルファベットで最初の（Ａ）（ａ）とする。接続図に見る通りこのブロックを基準としてリングを形成していく。
【０００８】  図（１２）は接続ブロックで形状は側面のスライド接続溝以外、図（１）のブロックと同じつくりで、この場合の数量は裏面図に示す通り（Ｂ）（ｂ）から（Ｙ）（ｙ）までの２４個となる。
側面のスライド接続溝は、平面図に示す通り右が凸、左が凹形で、表面図の音名表示は右回りに（ミ）（ド）（ラ）とつながり２４番目の（シ）まで、接続図に示す通りとなる。
【０００９】  図（２３）はリングを完結させるロックブロックで数量は１個、このブロックは平面図に示す通りの両側面が凸形のスライド接続溝になっているほかは、内部形状は他のブロックと同じつくりで、嵌め込むことでリングがロックされ一体になる。
裏面図の接続配列文字はアルファベットの最後の（Ｚ）（ｚ）となり、表面図の音名表示は設定した和音構成により音名は（ソ）となる。尚、リングを分解する場合は逆の手順でひとつずつ外す事となる。
因みに本図で構成した和音は、基準ブロックから左回りにＥｍ（イーマイナー）Ａｍ（エーマイナー）Ｂ７（ビーセブン）、Ｃ（シー）Ｅ（イー）Ｅ７（イーセブン）Ｄｍ（ディーマイナー）Ａ７（エーセブン）とした。
【図面の簡単な説明】
【００１０】
【図１】吹き専用リードを組み込んだ基準ブロックの斜視図である。
【図２】基準ブロックの平面図である。
【図３】基準ブロックのＡ−Ａ断面図である。
【図４】基準ブロックのＢ−Ｂ断面図である。
【図５】基準ブロックの正面図である。
【図６】基準ブロックの背面図である。
【図７】基準ブロックの左側面図である。
【図８】基準ブロックの右側面図である。
【図９】基準ブロックの裏面図である。
【図１０】基準ブロックの接続実施表面図である。
【図１１】基準ブロックの接続実施裏面図である。
【図１２】吹き専用リードを組み込んだ接続ブロック斜視図である。
【図１３】接続ブロックの平面図である。
【図１４】接続ブロックのＡ−Ａ断面図である。
【図１５】接続ブロックのＢ−Ｂ断面図である。
【図１６】接続ブロックの正面図である。
【図１７】接続ブロックの背面図である。
【図１８】接続ブロックの左側面図である。
【図１９】接続ブロックの右側面図である。
【図２０】接続ブロックの裏面図である。
【図２１】接続ブロックの接続実施表面図である。
【図２２】接続ブロックの接続実施裏面図である。
【図２３】吹き専用リードを組み込んだロックブロックの斜視図である。
【図２４】ロックブロックの平面図である。
【図２５】ロックブロックのＡ−Ａ断面図である。
【図２６】ロックブロックのＢ−Ｂ断面図である。
【図２７】ロックブロックの正面図である。
【図２８】ロックブロックの背面図である。
【図２９】ロックブロックの左側面図である。
【図３０】ロックブロックの右側面図である。
【図３１】ロックブロックの裏面図である。
【図３２】ロックブロックの接続実施表面図である。
【図３３】ロックブロックの接続実施裏面図である。
【符号の説明】
【００１１】１  ブロック本体
２  吹き専用リード
３  スライド接続溝凹形
４  スライド接続溝凸形
【図１】
0003105573.tif 000003
【図２】
0003105573.tif 000004
【図３】
0003105573.tif 000005
【図４】
0003105573.tif 000006
【図５】
0003105573.tif 000007
【図６】
0003105573.tif 000008
【図７】
0003105573.tif 000009
【図８】
0003105573.tif 000010
【図９】
0003105573.tif 000011
【図１０】
0003105573.tif 000012
【図１１】
0003105573.tif 000013
【図１２】
0003105573.tif 000014
【図１３】
0003105573.tif 000015
【図１４】
0003105573.tif 000016
【図１５】
0003105573.tif 000017
【図１６】
0003105573.tif 000018
【図１７】
0003105573.tif 000019
【図１８】
0003105573.tif 000020
【図１９】
0003105573.tif 000021
【図２０】
0003105573.tif 000022
【図２１】
0003105573.tif 000023
【図２２】
0003105573.tif 000024
【図２３】
0003105573.tif 000025
【図２４】
0003105573.tif 000026
【図２５】
0003105573.tif 000027
【図２６】
0003105573.tif 000028
【図２７】
0003105573.tif 000029
【図２８】
0003105573.tif 000030
【図２９】
0003105573.tif 000031
【図３０】
0003105573.tif 000032
【図３１】
0003105573.tif 000033
【図３２】
0003105573.tif 000034
【図３３】
0003105573.tif 000035